(57)【要約】【課題】  上部環に鎖交された下部環の左右の揺れ動きや振れを抑えて支持を安定に保ち、上部環に対する下部環の前後方向の揺動をスムーズに持続させる環支持構造を提供する。【解決手段】  下端部２ａに周方向の円弧部２ｂを有する上部環２と、上部環２と鎖交する下部環３であって、上部環２の円弧部２ｂに揺動可能に支持される下部環３とを備えている。下部環３は、上部環２の下端部２ａを挟む周方向の両側の内周面に、下部環３の上端部３ａの内周面が環幅方向の二点で支持される。【選択図】  図２
2019154787.tif 000002
【特許請求の範囲】
【請求項１】
下端部に周方向の円弧部を有する上部環と、上部環と鎖交する下部環であって、上部環の円弧部に揺動可能に支持される下部環と、を備え、
前記上部環の下端部を挟む周方向の両側の内周面に、前記下部環の上端部の内周面が環幅方向の二点で支持される環支持構造。
【請求項２】
前記上部環の下端部を挟む周方向の両側の内周面は環幅方向に曲面部を有し、この曲面部に前記下部環の上端部の内周面が支持される請求項１に記載の環支持構造。
【請求項３】
前記下部環の上端部の内周面は環幅方向に水平な平面部を有し、この平面部の両端が前記上部環の下端部を挟む周方向の両側の内周面に支持される請求項１又は２に記載の環支持構造。
【請求項４】
前記下部環の上端部の内周面は周方向の凹部と、この凹部の環幅方向の両側にそれぞれ曲面部を有し、各曲面部が前記上部環の下端部を挟む周方向の両側の内周面に支持される請求項１又は２に記載の環支持構造。
【請求項５】
前記下部環は、互いに拘束された第１下部環と第２下部環とを備え、第１下部環及び第２下部環の上端部の各内周面が前記上部環の下端部を挟む周方向の両側の内周面に支持される請求項１に記載の環支持構造。
【請求項６】
前記第１下部環及び第２下部環の上端部の各内周面は曲面部を有し、この曲面部が前記上部環の下端部を挟む周方向の両側の内周面に支持される請求項５に記載の環支持構造。
【請求項７】
前記下部環に装飾体が配置される請求項１乃至６のいずれかに記載の環支持構造。
【発明の詳細な説明】
【技術分野】
【０００１】
本発明は、上部環に下部環が揺動可能に支持される環支持構造に関する。
【背景技術】
【０００２】
従来、ペンダントなどの装身具にあって、吊り環に支持された宝石などの装飾体を常に揺動させてキラキラと輝くようにした装身具が知られている（特許文献１）。この装身具は、吊り環と装飾体に取り付けた垂下リングとを互いに鎖交させると共に、吊り環の鎖交部を板状の断面形状とし、垂下リングの円弧状の内周面と鎖交接触する吊り環の部位を断面凸円弧状に尖らせた形状とすることで、摺動抵抗を減らして宝飾体が容易に揺動できるようにしたものである。
【先行技術文献】
【特許文献】
【０００３】
【特許文献１】特開２００５‐５８３７１号公報
【発明の概要】
【発明が解決しようとする課題】
【０００４】
しかしながら、上記従来の装身具にあっては、垂下リングの内周面に吊り環の断面凸円弧状に尖らせた部位を一点で支持させているため、吊り環に対して垂下リングが左右に揺れ動いたり左右に振られたような場合、吊り環の断面凸円弧状に尖らせた部位が垂下リングの内周面上をずれ動いて支持が不安定となり、装飾体の揺動がスムーズになされないことがあった。
【０００５】
そこで、本発明が解決しようとする課題は、上部環に鎖交された下部環の左右の揺れ動きや振れを抑えて支持を安定に保ち、上部環に対する下部環の前後方向の揺動をスムーズに持続させる環支持構造を提供する。
【課題を解決するための手段】
【０００６】
上記課題を解決するために、本発明に係る環支持構造は、下端部に周方向の円弧部を有する上部環と、上部環と鎖交する下部環であって、上部環の円弧部に揺動可能に支持される下部環と、を備え、前記上部環の下端部を挟む周方向の両側の内周面に、前記下部環の上端部の内周面が環幅方向の二点で支持される。
【０００７】
また、本発明に係る環支持構造の一実施形態では、前記下部環の上端部の内周面は環幅方向に水平な平面部を有し、この平面部の両端が前記上部環の下端部を挟む周方向の両側の内周面に支持される。
【０００８】
また、本発明に係る環支持構造の他の実施形態では、前記下部環の上端部の内周面は周方向の凹部と、この凹部の環幅方向の両側にそれぞれ曲面部を有し、各曲面部が前記上部環の下端部を挟む周方向の両側の内周面に支持される。
【０００９】
さらに、本発明に係る環支持構造の他の実施形態では、前記下部環は、互いに拘束された第１下部環と第２下部環とを備え、第１下部環及び第２下部環の上端部の各内周面が前記上部環の下端部を挟む周方向の両側の内周面に支持される。
【発明の効果】
【００１０】
本発明に係る環支持構造によれば、上部環の下端部に挟む周方向の両側の円弧部に下部環の上端部が二点で支持されるので、下部環の支持が安定に保たれることになる。その結果、下部環は左右の揺れ動き振れが生じにくいものとなり、前後方向の揺動がスムーズに持続される。
【図面の簡単な説明】
【００１１】
【図１】本発明の第１実施形態に係る環支持構造を用いたペンダントの斜視図である。
【図２】図１の要部斜視図である。
【図３】図２のIII−III断面図である。
【図４】図２のIV−IV断面図である。
【図５】上部環の内周面を下部環が左右に揺れ動く状態を示す説明図である。
【図６】上部環に対して下部環が左右に振られる状態を示す説明図である。
【図７】本発明の第２実施形態に係る環支持構造の要部斜視図である。
【図８】図７のVIII−VIII断面図である。
【図９】本発明の第３実施形態に係る環支持構造を用いたペンダントの要部正面図である。
【発明を実施するための形態】
【００１２】
以下、本発明に係る環支持構造の実施形態を図面に基づいて詳細に説明する。なお、図面は、本発明の環支持構造及びこの環支持構造を用いた装身具を模式的に表したものである。これらの実物の寸法及び寸法比は、図面上の寸法及び寸法比と必ずしも一致していない。また、重複説明は適宜省略させることがあり、同一部材には同一符号を付与することがある。さらに、本発明の技術的範囲は以下で説明する各実施の形態には限定されず、特許請求の範囲に記載された発明とその均等物に及ぶ点に留意されたい。
【００１３】
図１乃至図３には本発明の一実施形態に係る環支持構造が示される。また、図１にはこの環支持構造を用いた装身具１が示される。装身具１は、例えば胸元に吊すペンダントからなり、チェーン１ａと、チェーン１ａに吊下げられた前後一対のリング状のフレーム１ｂと、フレーム１ｂに本発明の環支持構造を介して揺動可能に配置された装飾体８と、を備えている。環支持構造は、フレーム１ｂの上端部において、前後をつなぐ連結部材１ｃの下面に両端部が固着される上部環２と、この上部環２と鎖交して揺動可能に支持される下部環３とを備えている。
【００１４】
図２に示したように、上部環２は線材を半円形状に形成し、両端部を前記フレーム１ｂの連結部材１ｃに固着させた半円環からなる。上部環２は、その下端部２ａ付近に周方向の円弧部２ｂを有する。この実施形態において、上部環２は環の断面形状が円形である。したがって、円弧部２ｂの内周面には環幅方向に円弧状の曲面部２ｃが形成される。なお、上部環２は、上記半円環に限定されることなく、円形の丸環であってもよく、環の下端部２ａ付近に円弧部２ｂを有するＤ環などでもよい。
【００１５】
この実施形態において、下部環３は、前記上部環２と同様、線材を円形に形成した丸環からなる。また、下部環３は上部環２と鎖交する上端部３ａ付近を含めて丸環の断面形状が半円形である。したがって、図３に示したように、下部環３の上端部３ａ付近の内周面には環幅方向に水平な平面部３ｂが形成される。この平面部３ｂの環幅方向の両端にはエッジ３ｃ，３ｄが形成されている。なお、下部環３は、円形の丸環に限定されるものではなく、上部環２と同様、両端部が装飾体８の上部に固着される半円環であってもよく、また環の上端部３ａ付近に円弧部を含むＤ環などであってもよい。
【００１６】
本発明では、上部環２の下端部２ａを挟む円周方向の両側の曲面部２ｃに、下部環３の上端部３ａの内周面が二点で支持される。詳細には、図３及び図４（ａ）に示されるように、下部環３の上端部３ａに形成される平面部３ｂの環幅方向の両端のエッジ３ｃ，３ｄが上部環２の前記曲面部２ｃにそれぞれ点接触することにより支持される。
【００１７】
このように、本発明の環支持構造では、上部環２の下端部２ａに下部環３の上端部３ａが環幅方向の二点で支持された構造となっている。そのため、上部環２に支持された下部環３の支持が安定することになって、左右に揺れるような動きや左右に振れるような動きが抑えられる。その結果、図４（ｂ），（ｃ）に示したように、上部環２に対する下部環３の前後方向（図１の矢印方向）の揺動がスムーズに持続されることになる。
【００１８】
上述したように、本発明の装身具１は、前記環支持構造を用いたものであり、下部環３の下端部に装飾体８が配置されている。この装飾体８が下部環３の重りとなって下部環３の揺動を促進する。図１に示した装身具１の例は胸元に吊すペンダントであるが、これに限定されるものではなく、イヤリング、ネックレスなど幅広く適用される。また、図１に示した装飾体８の例はダイモンドなどの宝石類であるが、これに限定されないことは勿論である。装飾体８が宝石類で構成されている場合は、下部環３と共に前後に揺動する度にキラキラと輝いて装飾効果を高める。なお、下部環３には装飾体８を直接連結することができる他、支持枠を介して連結することも可能である。
【００１９】
上述したように、上部環２の下端部２ａ付近には周方向の円弧部２ｂが形成されている。そして、この上部環２の下端部２ａを挟む周方向の両側の内周面に形成された曲面部２ｃに、下部環３の上端部３ａ付近の内周面に形成された平面部３ｂのエッジ３ｃ，３ｄが点接触している。このように、下部環３は、環幅方向の二点で上部環２に支持されるために、上部環２に安定して支持されることになり、下部環３の前後方向への揺動がスムーズとなり、必然的に下部環３に配置される装飾体８の揺動もスムーズな動きとなる。その結果、装飾体８は、フレーム１ｂに対して長時間に亘って安定した揺動が持続可能となる。
【００２０】
一方、図５に示したように、上部環２の上端部２ａに二点で支持された下部環３に左右に揺れるような動きが発生した場合であっても、上部環２の下端部２ａを挟む両側の内周面の曲面部２ｃに下部環３の上端部３ａのエッジ３ｃ，３ｄが二点で支持されているので、一点で支持されている場合に比べて左右の揺れ動きが抑えられる。また、下部環３の支持点が左右方向に多少動いたとしても、直ぐに元の位置に戻ることができる。そのため、下部環３は上部環２に安定して支持されることになり、上部環２に対して常に直交した方向、すなわち前後方向の揺動がスムーズに持続されることになる。
【００２１】
また、図６に示したように、上部環２に二点で支持された下部環３に左右に振れるような動きが発生した場合であっても、前述と同様、下部環３の上端部３ａのエッジ３ｃ，３ｄが二点で上部環２の下端部２ａを挟む両側の内周面の曲面部２ｃに支持されているので、一点で支持されている場合に比べて左右の振れ動きが抑えられる。また、下部環３が多少左右に振られたとしても、直ぐに元の姿勢に戻ることができる。そのため、下部環３は安定して支持されることになり、上部環２に対して常に直交した方向、すなわち前後方向の揺動がスムーズに持続されることになる。
【００２２】
上記実施形態において、下部環３は環の全周に亘って半円形の断面形状となっているが、上端部３ａ付近のみ環の断面形状を半円形とし、それ以外を円形の断面形状とすることもできる。また、下部環３の上端部３ａ付近の内周面に平面部３ｂを備えるものであれば半円形の断面形状に限定されず、例えば環の断面形状が矩形であってもよい。矩形断面の場合には下部環３のリング全体を平板で製作することができるので、製造コストを抑えられる。
【００２３】
図７及び図８には本発明に係る環支持構造の第２実施形態が示されている。この実施形態において、上部環２は前記第１実施形態のものと同一の構成からなるので詳細な説明を省略する。なお、同一部材には同一符号を付してある。一方、下部環４は、前記第１実施形態の下部環３と同様、線材を円形に形成した丸環からなる。また、下部環４は、上部環２と鎖交する上端部４ａ付近を含めて全内周面に円周方向に凹部４ｂと曲面部４ｃ，４ｄとが形成されている。凹部４ｂは内周面の環幅方向のほぼ中央部に形成され、この凹部４ｂに沿ってその両側に曲面部４ｃ，４ｄが形成されている。この実施形態において、前記凹部４ｂ及び曲面部４ｃ，４ｄは、前記下部環４の内周面の全周に亘って形成されているが、少なくとも下部環４の上端部４ａ付近に形成されていればよい。また、この実施形態において、前記曲面部４ｃ，４ｄの断面形状は円弧状である。なお、下部環４は、円形の丸環に限定されるものではなく、上部環２と同様、両端部が装飾体８の上部に固着される半円環であってもよく、また環の上端部４ａ付近に円弧部を含むＤ環などであってもよい。
【００２４】
本実施形態では、上部環２の下端部２ａを挟む周方向の両側の内周面に形成された曲面部２ｃに、下部環４の上端部４ａ付近の内周面が二点で支持される。詳細には、図８に示されるように、下部環４の上端部４ａ付近の内周面に形成される一対の曲面部４ｃ，４ｄが上部環２の前記曲面部２ｃにそれぞれ点接触することにより支持される。
【００２５】
このように、本実施形態に係る環支持構造では、上部環２の下端部２ａに下部環４の上端部４ａが二点で支持された構造となる。そのため、第１実施形態と同様、下部環４は上部環２に安定して支持されることになり、左右に揺れるような動きや左右に振れるような動きが抑えられる。その結果、上部環２に対する下部環４の前後方向の揺動がスムーズに持続されることになる。
【００２６】
一方、上部環２に二点で支持された下部環４に左右に揺れるような動きや左右に振れるような動きが発生した場合であっても、下部環４の上端部４ａの内周面に形成された環幅方向の一対の曲面部４ｃ，４ｄが上部環２の下端部２ａを挟む周方向の二点で支持されているので、一点で支持されている場合に比べて下部環４の左右の揺れ動きや振れ動きが抑えられる。そのため、第１実施形態と同様、下部環４は上部環２に安定して支持されることになり、上部環２に対して常に直交した方向、すなわち前後方向の揺動を安定して持続することが可能となる。
【００２７】
図９には本発明に係る環支持構造の第３実施形態が示されている。この実施形態において、上部環２は前記第１実施形態のものと同一の構成からなるので詳細な説明を省略する。なお、同一部材には同一符号を付してある。一方、下部環５は互いに拘束された第１下部環６と第２下部環７とを備える。第１下部環６及び第２下部環７は同一形状の丸環からなり、それぞれの下部が装飾体８に連結されることで互いに拘束されている。前記第１下部環６及び第２下部環７は共に環の断面形状が円形であり、上端部６ａ，７ａを含む環の内周面に曲面部６ｂ，７ｂがそれぞれ形成されている。そのため、下部環５は、第１下部環６の上端部６ａの曲面部６ｂと第２下部環７の上端部７ａの曲面部７ｂが、前記上部環２の下端部２ａを挟む周方向の両側の内周面に形成された曲面部２ｃにそれぞれ点接触することで、上部環２に支持されることになる。なお、第１下部環６及び第２下部環７は、円形の丸環に限定されるものではなく、上部環２と同様、両端部が装飾体８の上部に固着される半円環であってもよく、また環の上端部６ａ，７ａ付近に円弧部を含むＤ環などであってもよい。
【００２８】
本実施形態では、上部環２の下端部２ａを挟む周方向の両側の曲面部２ｃに、第１下部環６の上端部６ａの内周面に形成された曲面部６ｂと、第２下部環７の上端部７ａの内周面に形成された曲面部７ｂがそれぞれ点接触することで、下部環５は上部環２に二点で安定して支持されることになる。
【００２９】
このように、本実施形態に係る環支持構造では、上部環２の下端部２ａに下部環５の第１下部環６及び第２下部環７の上端部６ａ，７ａが二点で支持された構造となる。そのため、第１実施形態と同様、下部環５の前後方向への揺動がスムーズとなる。また、下部環５が上部環２に安定して支持されることになり、左右に揺れるような動きや左右に振れるような動きが抑えられる。その結果、装飾体８は、上部環２に対して長時間に亘って安定した揺動が持続可能とする。
【符号の説明】
【００３０】
１  装身具
１ａ  チェーン
１ｂ  フレーム
１ｃ  連結部材
２  上部環
２ａ  下端部
２ｂ  円弧部
２ｃ，４ｃ，４ｄ，６ｂ，７ｂ  曲面部
３，４，５  下部環
３ａ，４ａ，６ａ，７ａ  上端部
３ｂ  平面部
３ｃ，３ｄ  エッジ
４ｂ  凹部
６  第１下部環
７  第２下部環
８  装飾体
【図１】
2019154787.tif 000003
【図２】
2019154787.tif 000004
【図３】
2019154787.tif 000005
【図４】
2019154787.tif 000006
【図５】
2019154787.tif 000007
【図６】
2019154787.tif 000008
【図７】
2019154787.tif 000009
【図８】
2019154787.tif 000010
【図９】
2019154787.tif 000011
【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
下端部に周方向の円弧部を有する上部環と、上部環と鎖交する下部環であって、上部環の円弧部に揺動可能に支持される下部環と、を備え、
前記上部環の円弧部の内周面に前記下部環の上端部の内周面が環幅方向の両側で支持されると共に、
前記上部環の円弧部の内周面には環幅方向に曲面部が形成され、この曲面部に前記下部環の環幅方向の両側の内周面が点接触する環支持構造。
【請求項２】
前記上部環は環の断面形状が円形であり、前記上部環の円弧部の内周面には環幅方向に円弧状の曲面部が形成される請求項１に記載の環支持構造。
【請求項３】
前記下部環の上端部の内周面は環幅方向に水平な平面部を有し、この平面部の環幅方向の両端が前記上部環の円弧部の内周面に支持される請求項１又は２に記載の環支持構造。
【請求項４】
前記下部環は、上部環と鎖交する上端部付近の断面形状が半円形であり、前記平面部の環幅方向の両端にエッジが設けられる請求項３に記載の環支持構造。

【請求項５】
前記下部環の上端部の内周面は周方向の凹部と、この凹部の環幅方向の両側にそれぞれ曲面部を有し、各曲面部が前記上部環の円弧部の内周面に点接触する請求項１又は２に記載の環支持構造。
【請求項６】
前記下部環は、互いに拘束された第１下部環と第２下部環とを備え、第１下部環及び第２下部環の上端部の各内周面が前記上部環の円弧部の内周面に支持される請求項１に記載の環支持構造。
【請求項７】
前記第１下部環及び第２下部環の上端部の各内周面は曲面部を有し、この曲面部が前記上部環の円弧部の内周面に点接触する請求項６に記載の環支持構造。
【手続補正２】
【補正対象書類名】明細書
【補正対象項目名】０００６
【補正方法】変更
【補正の内容】
【０００６】
上記課題を解決するために、本発明に係る環支持構造は、下端部に周方向の円弧部を有する上部環と、上部環と鎖交する下部環であって、上部環の円弧部に揺動可能に支持される下部環と、を備え、前記上部環の円弧部の内周面に前記下部環の上端部の内周面が環幅方向の両側で支持されると共に、前記上部環の円弧部の内周面には環幅方向に曲面部が形成され、前記下部環の環幅方向の両側の内周面が前記曲面部にそれぞれ点接触する。